(57)【要約】  断熱容器（１）は、容器（２）、蓋（３）及び蓋（４）を備える。蓋（３）は、容器（２）の内部を冷却するための冷却器（１１）を有する。蓋（３）は、容器（２）に着脱可能である。蓋（４）は、容器（２）に着脱可能である。また、蓋（３）は、容器（２）に取り付けられると開口（７）を塞ぐ。蓋（４）は、支持部（１５）及び可動部（１６）を備える。可動部（１６）は、支持部（１５）が容器（２）に取り付けられると開口（７）を形成する容器（２）の縁に沿って移動する。
2017208337.tif 000002
【特許請求の範囲】
【請求項１】
物品を出し入れするための開口が形成された容器と、
前記容器の内部を冷却するための冷却器を有し、前記容器に着脱可能な第１蓋と、
前記容器に着脱可能な第２蓋と、
を備え、
前記第１蓋は、前記容器に取り付けられると前記開口を塞ぎ、
前記第２蓋は、
前記容器に取り付けられる支持部と、
前記支持部に支持され、前記支持部が前記容器に取り付けられると前記開口を塞ぐ位置に配置可能な可動部と、
を備え、
前記可動部は、前記支持部が前記容器に取り付けられると前記開口を形成する前記容器の縁に沿って移動する断熱容器。
【請求項２】
物品を出し入れするための開口が形成された容器と、
前記容器の内部を冷却するための冷却器を有し、前記容器に着脱可能な第１蓋と、
前記容器に着脱可能な第２蓋と、
を備え、
前記第１蓋は、前記容器に取り付けられると前記開口を塞ぎ、
前記第２蓋は、
前記容器に取り付けられる支持部と、
前記支持部に支持され、前記支持部に対して変位し、前記支持部が前記容器に取り付けられると前記開口の一部を塞ぐ位置に配置可能な第１可動部と、
前記支持部に支持され、前記支持部に対して変位し、前記支持部が前記容器に取り付けられると前記開口の他の一部を塞ぐ位置に配置可能な第２可動部と、
を備えた断熱容器。
【請求項３】
前記支持部は、前記容器に取り付けられると、前記開口を形成する前記容器の縁に沿って配置される請求項１又は請求項２に記載の断熱容器。
【請求項４】
前記支持部は、前記容器に取り付けられると、前記開口を形成する前記容器の縁全体に対向する請求項１又は請求項２に記載の断熱容器。
【請求項５】
物品を出し入れするための開口が形成された容器と、
前記容器に設けられ、前記容器に対して変位し、前記開口を塞ぐ位置に配置可能な蓋と、
前記蓋に着脱可能であり、前記蓋を介して前記容器の内部を冷却する冷却装置と、
前記蓋に着脱可能な断熱体と、
を備えた断熱容器。
【請求項６】
前記蓋は、
前記冷却装置の冷却面が対向する伝熱部と、
前記伝熱部の熱伝導率より低い熱伝導率を有する断熱部と、
を備え、
前記伝熱部は、前記断熱部に設けられ、
前記断熱部は、前記伝熱部の周囲に配置され、前記開口を形成する前記容器の縁に対向する請求項５に記載の断熱容器。
【請求項７】
前記蓋は、前記冷却装置で発生した熱を排熱するための通気孔を有する請求項５又は請求項６に記載の断熱容器。
【請求項８】
前記蓋は、前記開口を形成する前記容器の縁に沿って移動する請求項５から請求項７の何れか一項に記載の断熱容器。
【請求項９】
開口が形成された外容器と、
前記開口から前記外容器に収納可能な内容器と、
前記外容器に設けられた取付装置と、
前記取付装置に着脱可能であり、前記内容器の内部を冷却するための冷却装置と、
前記取付装置に着脱可能な断熱体と、
を備え、
前記内容器が前記外容器に収納されると前記開口が前記内容器によって塞がれる断熱容器。
【請求項１０】
第２内容器を更に備え、
前記外容器に第２開口が形成され、
前記第２内容器は、前記第２開口から前記外容器に収納可能であり、
前記第２内容器が前記外容器に収納されると前記第２開口が前記第２内容器によって塞がれる請求項９に記載の断熱容器。
【請求項１１】
前記取付装置は、前記冷却装置で発生した熱を排熱するための通気孔を有する請求項９又は請求項１０に記載の断熱容器。
【発明の詳細な説明】
【技術分野】
【０００１】
この発明は、断熱容器に関する。
【背景技術】
【０００２】
特許文献１に、食料等を保管するためのコンテナが記載されている。特許文献１に記載されたコンテナは、容器に第１の蓋と第２の蓋とを取り付けることができる。第１の蓋は、熱電ユニットを備える。第２の蓋は、熱電ユニットを備えていない。電源が確保できる場所では、第１の蓋が容器に取り付けられる。電源が確保できない場所では、第２の蓋が容器に取り付けられる。
【先行技術文献】
【特許文献】
【０００３】
【特許文献１】日本特開平８−１１０１４１号公報
【発明の概要】
【発明が解決しようとする課題】
【０００４】
特許文献１に記載されたコンテナでは、物品を出し入れする時及び蓋を交換する時の双方で容器が全開する。このため、保管している物品が外気に触れ易く、物品の温度を一定に保つことが難しかった。【０００５】
この発明は、上述のような課題を解決するためになされた。この発明の目的は、一部を交換することによって冷却機能の取り外しが可能であり、且つ保管している物品の温度変化を抑制できる断熱容器を提供することである。
【課題を解決するための手段】
【０００６】
この発明に係る断熱容器は、物品を出し入れするための開口が形成された容器と、容器の内部を冷却するための冷却器を有し、容器に着脱可能な第１蓋と、容器に着脱可能な第２蓋と、を備える。第１蓋は、容器に取り付けられると開口を塞ぐ。第２蓋は、容器に取り付けられる支持部と、支持部に支持され、支持部が容器に取り付けられると開口を塞ぐ位置に配置可能な可動部と、を備える。可動部は、支持部が容器に取り付けられると開口を形成する容器の縁に沿って移動する。【０００７】
この発明に係る断熱容器は、物品を出し入れするための開口が形成された容器と、容器の内部を冷却するための冷却器を有し、容器に着脱可能な第１蓋と、容器に着脱可能な第２蓋と、を備える。第１蓋は、容器に取り付けられると開口を塞ぐ。第２蓋は、容器に取り付けられる支持部と、支持部に支持され、支持部に対して変位し、支持部が容器に取り付けられると開口の一部を塞ぐ位置に配置可能な第１可動部と、支持部に支持され、支持部に対して変位し、支持部が容器に取り付けられると開口の他の一部を塞ぐ位置に配置可能な第２可動部と、を備える。【０００８】
この発明に係る断熱容器は、物品を出し入れするための開口が形成された容器と、容器に設けられ、容器に対して変位し、開口を塞ぐ位置に配置可能な蓋と、蓋に着脱可能であり、蓋を介して容器の内部を冷却する冷却装置と、蓋に着脱可能な断熱体と、を備える。【０００９】
この発明に係る断熱容器は、開口が形成された外容器と、開口から外容器に収納可能な内容器と、外容器に設けられた取付装置と、取付装置に着脱可能であり、内容器の内部を冷却するための冷却装置と、取付装置に着脱可能な断熱体と、を備える。内容器が外容器に収納されると開口が内容器によって塞がれる。
【発明の効果】
【００１０】
この発明に係る断熱容器であれば、一部を交換することによって冷却機能の取り外しが可能であり、且つ保管している物品の温度変化を抑制できる。
【図面の簡単な説明】
【００１１】
【図１】この発明の実施の形態１における断熱容器の例を示す斜視図である。
【図２】蓋の断面を示す図である。
【図３】蓋が容器に取り付けられた時の断熱容器の外観を示す図である。
【図４】蓋の断面を示す図である。
【図５】蓋が容器に取り付けられた時の断熱容器の外観を示す図である。
【図６】収納棚の例を示す図である。
【図７】物品を取り出す時の断熱容器の外観を示す図である。
【図８】この発明の実施の形態１における断熱容器の他の例を示す斜視図である。
【図９】この発明の実施の形態１における断熱容器の他の例を示す斜視図である。
【図１０】この発明の実施の形態１における断熱容器の他の例を示す斜視図である。
【図１１】この発明の実施の形態２における断熱容器の例を示す斜視図である。
【図１２】蓋の例を示す斜視図である。
【図１３】蓋の他の例を示す斜視図である。
【図１４】冷却装置が蓋に取り付けられた時の断熱容器の断面を示す図である。
【図１５】断熱体が蓋に取り付けられた時の断熱容器の断面を示す図である。
【図１６】この発明の実施の形態３における断熱容器の例を示す斜視図である。
【図１７】この発明の実施の形態３における断熱容器の他の例を示す斜視図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、この発明の実施の形態１における断熱容器１の例を示す斜視図である。断熱容器１は、容器２、蓋３、蓋４及び収納棚５を備える。
【００１４】
容器２は、内部に物品６を保管するためのものである。容器２は箱状である。容器２に、物品６を出し入れするための開口７が形成される。図１は、容器２の外形が直方体形状である例を示す。容器２の外形は図１に示す例に限定されない。例えば、容器２の外形は円柱形状でも良い。容器２の側面に受け具８が設けられる。
【００１５】
蓋３は、容器２に着脱可能である。蓋３が容器２に取り付けられると、容器２に形成された開口７が塞がれる。蓋３は、容器２の内部を冷却する機能を有する。
【００１６】
図２は、蓋３の断面を示す図である。蓋３は、例えばケース９、伝熱板１０、冷却器１１、放熱器１２及びファン１３を備える。蓋３の説明では、図２に示す向きを基準に上下を特定する。図２に示す向きは、容器２に上向きの開口７が形成されている場合に蓋３が容器２に取り付けられる向きである。図３は、蓋３が容器２に取り付けられた時の断熱容器１の外観を示す図である。
【００１７】
ケース９は中空であり、下方に開口する。伝熱板１０は、ケース９に形成された上記開口を塞ぐようにケース９に設けられる。伝熱板１０の熱伝導率は、ケース９の熱伝導率より高い。伝熱板１０は、例えば金属製の板である。
【００１８】
冷却器１１は、容器２の内部を冷却するための装置である。例えば、冷却器１１はペルチェ素子を含む。冷却器１１は、例えば伝熱板１０の上面に設けられる。冷却器１１は、伝熱板１０を介して容器２の内部を冷却する。図２に示す例では、伝熱板１０に対向する冷却器１１の下面が冷却面である。また、冷却器１１の上面は放熱面である。放熱器１２は、冷却器１１の放熱面に設けられる。
【００１９】
ファン１３は、ケース９の内部に設けられる。ケース９の上面に複数の通気孔９ａが形成される。ファン１３が駆動すると、放熱器１２に風が当たる。また、ファン１３が駆動すると、通気孔９ａからケース９の内部に空気が取り込まれる。ケース９の内部の空気は通気孔９ａから排出される。これにより、放熱器１２及び冷却器１１が冷却される。
【００２０】
ケース９に留め具１４が設けられる。受け具８及び留め具１４は、蓋３を容器２に着脱する手段の一例である。即ち、蓋３を容器２に載せた状態で留め具１４が受け具８に掛けられると、蓋３が容器２に取り付けられる。留め具１４が受け具８から外されると、蓋３を容器２から取り外すことができる。
【００２１】
蓋４は、容器２に着脱可能である。蓋４が容器２に取り付けられていれば、容器２に形成された開口７を蓋４によって塞ぐことができる。また、蓋４を操作することによって断熱容器１の上を開け、容器２に入れられた物品６を取り出すことができる。蓋４は蓋３より軽い。また、冷却器１１によって容器２の内部を冷却することができなければ、蓋３を容器２に取り付けるより蓋４を容器２に取り付ける方が容器２の内部の温度を長く一定に保つことができる。
【００２２】
図４は、蓋４の断面を示す図である。蓋４は、例えば支持部１５、可動部１６及びレール１７を備える。以下の蓋４の説明では、図４に示す向きを基準に上下を特定する。図４に示す向きは、容器２に上向きの開口７が形成されている場合に蓋４が容器２に取り付けられる向きである。図５は、蓋４が容器２に取り付けられた時の断熱容器１の外観を示す図である。
【００２３】
支持部１５に留め具１８が設けられる。受け具８及び留め具１８は、蓋４を容器２に着脱する手段の一例である。即ち、蓋４を容器２に載せた状態で留め具１８が受け具８に掛けられると、蓋４が容器２に取り付けられる。支持部１５は、容器２に取り付けられる部分である。留め具１８が受け具８から外されると、蓋４を容器２から取り外すことができる。なお、蓋３と蓋４とは、同時に容器２に取り付けることはできない。
【００２４】
図４及び図５は、支持部１５が四角環形状である例を示す。留め具１８によって支持部１５が容器２に取り付けられると、支持部１５は、開口７を形成する容器２の縁に沿って配置される。例えば、支持部１５は、開口７を形成する容器２の縁の全体に上方から対向する。
【００２５】
可動部１６は、支持部１５に支持される。可動部１６は、支持部１５に対して変位する。支持部１５が容器２に取り付けられた状態で可動部１６が支持部１５に対して変位することにより、断熱容器１の上が開閉される。即ち、可動部１６は、支持部１５が容器２に取り付けられると開口７を塞ぐ位置に配置できる。容器２に入れられた物品６を取り出す時は、可動部１６が開口７を塞ぐ位置から変位される。
【００２６】
図４に示す例では、支持部１５の上面にレール１７が設けられる。可動部１６は、レール１７を介して支持部１５に設けられる。レール１７は、可動部１６の移動を案内する手段の一例である。図４及び図５に示す例では、支持部１５が容器２に取り付けられると、可動部１６は、開口７を形成する容器２の縁に沿って移動する。即ち、可動部１６をスライドさせることによって断熱容器１の上を開閉することができる。
【００２７】
図４は、可動部１６が真空断熱材１９を備える例を示す。可動部１６と支持部１５との双方に真空断熱材が備えられても良い。真空断熱材は、容器２に備えられても良い。例えば、蓋４が容器２に取り付けられると、容器２に入れられた物品６の上下及び四方に真空断熱材が配置されても良い。
【００２８】
収納棚５は、容器２の内部に配置される。蓋３は、収納棚５が容器２に入れられた状態で容器２に取り付けられる。同様に、蓋４は、収納棚５が容器２に入れられた状態で容器２に取り付けられる。図１は、２つの収納棚５が容器２の内部に配置される例を示す。容器２に入れることができる収納棚５の数は、図１に示す例に限定されない。
【００２９】
図６は、収納棚５の例を示す図である。収納棚５は、例えば枠２０及び仕切り２１を備える。枠２０の外形は、容器２の内側の形状に合わせられる。図１及び図６は、正面から見た枠２０の外形が四角形である例を示す。仕切り２１は枠２０に固定される。枠２０の内側に形成された空間は仕切り２１によって仕切られる。図１及び図６は、仕切り２１が格子状である例を示す。仕切り２１によって仕切られた空間に物品６が配置される。
【００３０】
以下においては、物品６がワクチン製剤を含む例を示す。ワクチン製剤は、例えば専用の入れ物に入れられる。ワクチン製剤が入れられた入れ物は、緩衝材等に包まれる。この例であれば、物品６はワクチン製剤、入れ物及び緩衝材を含む。ワクチン製剤の入れ物は、ワクチン接種を行う際に使用される注射器の一部でも良い。
なお、緩衝材を仕切り２１に一体的に配置しても良い（図示せず）。例えば、物品６がワクチン製剤が入れられたガラスビン等の割れやすい容器であり、且つ緩衝材を備えていない場合に、仕切り２１に緩衝材が備えられていれば容器の破損を防ぐことができる。
【００３１】
例えば、発展途上国では、拠点においてワクチン製剤を含む物品６が断熱容器１で保管される。ワクチン製剤を保管する温度は例えば２℃から８℃でなければならない。拠点では、断熱容器１に電源を供給することができる。このため、拠点では、冷却器１１を備える蓋３が容器２に取り付けられる。
【００３２】
ワクチン製剤を含む物品６は、断熱容器１に入れられた状態でモータバイク、人及び動物等によってワクチンの接種会場に運ばれる。発展途上国では、ワクチンの接種会場で電源を確保できないことがある。かかる場合、拠点において蓋３が容器２から外され、蓋４が容器２に取り付けられる。そして、蓋４を備えた断熱容器１がワクチンの接種会場に運ばれる。断熱容器１に入れられた物品６を上記温度範囲で保管できる時間が長いほど、拠点からの一回の出動によってより多くの会場にワクチン製剤を届けることができる。例えば、発展途上国では、物品６を数日間上記温度範囲で保管できることが望ましい。
【００３３】
図７は、物品６を取り出す時の断熱容器１の外観を示す図である。上述したように、蓋４を備えた断熱容器１から物品６を取り出す場合は、可動部１６を閉位置からスライドさせる。蓋４を備えた断熱容器１であれば、蓋４の一部を開口７を塞ぐ位置に配置した状態で開口７の上方の一部を開放することができる。図７は、収納棚５を１つだけ取り出すことができる位置に可動部１６を移動させた状態を示す。このような構成であれば、物品６を容器２から取り出す際に、外気に触れる物品６の数を低減させることができる。このため、保管している物品６の温度変化を抑制できる。収納棚５を１つだけ取り出すことができる位置に可動部１６を保持するための部材を支持部１５に設けても良い。
【００３４】
なお、物品６はワクチン製剤を含むものに限定されない。断熱容器１をコールドチェーンにおいて利用しても良い。かかる場合、物品６は、生鮮食品、冷凍食品、医薬品或いは電子部品等を含んでも良い。
【００３５】
図８は、この発明の実施の形態１における断熱容器１の他の例を示す斜視図である。図８に示す例は、蓋４の開閉機構のみが図１から図７に示す例と相違する。蓋４は、例えば支持部１５、可動部２２、可動部２３及びレール１７（図８では図示せず）を備える。支持部１５に留め具１８が設けられる。図８は、留め具１８が受け具８に掛けられた状態を示す。
【００３６】
可動部２２は、支持部１５に支持される。可動部２２は、支持部１５に対して変位する。支持部１５が容器２に取り付けられた状態で可動部２２が支持部１５に対して変位することにより、断熱容器１の一部が開閉される。即ち、可動部２２は、支持部１５が容器２に取り付けられると開口７の一部を塞ぐ位置に配置できる。容器２に入れられた物品６を取り出す時は、可動部２２が開口７を塞ぐ位置から変位される。図８に示す例では、開口７の半分の面積に相当する部分が可動部２２によって開閉される。
【００３７】
可動部２２は、例えばレール１７を介して支持部１５に設けられる。レール１７は、可動部２２の移動を案内する手段の一例である。図８に示す例では、支持部１５が容器２に取り付けられると、可動部２２は、開口７を形成する容器２の縁に沿って移動する。即ち、可動部２２をスライドさせることによって断熱容器１の一部を開閉することができる。可動部２２は、真空断熱材を備えても良い。
【００３８】
可動部２３は、支持部１５に支持される。可動部２３は、支持部１５に対して変位する。可動部２２の支持部１５に対する変位と可動部２３の支持部１５に対する変位とは個別に行うことが可能である。支持部１５が容器２に取り付けられた状態で可動部２３が支持部１５に対して変位することにより、断熱容器１の他の一部が開閉される。即ち、可動部２３は、支持部１５が容器２に取り付けられると開口７の他の一部を塞ぐ位置に配置できる。容器２に入れられた物品６を取り出す時は、可動部２３が開口７を塞ぐ位置から変位される。図８に示す例では、開口７の残りの半分の面積に相当する部分が可動部２３によって開閉される。
【００３９】
可動部２３は、例えばレール１７を介して支持部１５に設けられる。レール１７は、可動部２３の移動を案内する手段の一例である。レール１７を可動部２２を案内する部分と可動部２３を案内する部分とに分割しても良い。図８に示す例では、支持部１５が容器２に取り付けられると、可動部２３は、開口７を形成する容器２の縁に沿って移動する。即ち、可動部２３をスライドさせることによって断熱容器１の一部を開閉することができる。図８は、可動部２２の移動方向と可動部２３の移動方向とが逆である例を示す。可動部２３は、真空断熱材を備えても良い。
【００４０】
図８に示す例でも、蓋４の一部を開口７を塞ぐ位置に配置した状態で開口７の上方の一部を開放することができる。このため、図１から図７に示す例と同様の効果が期待できる。
【００４１】
図９は、この発明の実施の形態１における断熱容器１の他の例を示す斜視図である。図９に示す例は、蓋４の開閉機構のみが図１から図７に示す例と相違する。蓋４は、例えば支持部１５、可動部２２、可動部２３、可動部２４及びレール１７（図９では図示せず）を備える。支持部１５に留め具１８が設けられる。図９は、留め具１８が受け具８に掛けられた状態を示す。
【００４２】
可動部２２は、移動方向が図８に示す例と相違する。また、図９に示す例では、支持部１５が容器２に取り付けられた状態で可動部２２が支持部１５に対して変位することにより、開口７の１／３の面積に相当する部分が開閉される。同様に、可動部２３は、移動方向が図８に示す例と相違する。図９に示す例では、可動部２２の移動方向と可動部２３の移動方向とが同じである。また、図９に示す例では、支持部１５が容器２に取り付けられた状態で可動部２３が支持部１５に対して変位することにより、開口７の１／３の面積に相当する他の部分が開閉される。
【００４３】
可動部２４は、支持部１５に支持される。可動部２４は、支持部１５に対して変位する。支持部１５が容器２に取り付けられた状態で可動部２４が支持部１５に対して変位することにより、断熱容器１の他の一部が開閉される。即ち、可動部２４は、支持部１５が容器２に取り付けられると開口７の残りの一部を塞ぐ位置に配置できる。容器２に入れられた物品６を取り出す時は、可動部２４が開口７を塞ぐ位置から変位される。図９に示す例では、開口７の残りの１／３の面積に相当する部分が可動部２４によって開閉される。
【００４４】
図９に示す例では、支持部１５が容器２に取り付けられると、可動部２４は、開口７を形成する容器２の縁に沿って移動する。即ち、可動部２４をスライドさせることによって断熱容器１の一部を開閉することができる。可動部２４の移動方向は可動部２２の移動方向と同じである。可動部２４は、真空断熱材を備えても良い。
【００４５】
図９に示す例では、３つの収納棚５が容器２の内部に配置されることが好ましい。かかる場合、例えば、可動部２２を移動させることによって１つの収納棚５を容器２から取り出すことができる。また、可動部２３を移動させることによって他の１つの収納棚５を容器２から取り出すことができる。可動部２４を移動させることによって残りの１つの収納棚５を容器２から取り出すことができる。
【００４６】
図９に示す例でも、蓋４の一部を開口７を塞ぐ位置に配置した状態で開口７の上方の一部を開放することができる。このため、図１から図７に示す例と同様の効果が期待できる。
【００４７】
図１０は、この発明の実施の形態１における断熱容器１の他の例を示す斜視図である。図１０に示す例は、蓋４の開閉機構のみが図１から図７に示す例と相違する。蓋４は、例えば支持部１５、可動部２５、可動部２６及び軸２７を備える。支持部１５に留め具１８が設けられる。図１０は、留め具１８が受け具８に掛けられた状態を示す。
【００４８】
可動部２５は、支持部１５に支持される。可動部２５は、支持部１５に対して変位する。支持部１５が容器２に取り付けられた状態で可動部２５が支持部１５に対して変位することにより、断熱容器１の一部が開閉される。即ち、可動部２５は、支持部１５が容器２に取り付けられると開口７の一部を塞ぐ位置に配置できる。容器２に入れられた物品６を取り出す時は、可動部２５が開口７を塞ぐ位置から変位される。図１０に示す例では、開口７の半分の面積に相当する部分が可動部２５によって開閉される。
【００４９】
可動部２５は、例えば軸２７を介して支持部１５に設けられる。軸２７は、可動部２５の移動を案内する手段の一例である。図１０に示す例では、支持部１５が容器２に取り付けられると、可動部２５は、軸２７を中心に回転する。可動部２５は、真空断熱材を備えても良い。
【００５０】
可動部２６は、支持部１５に支持される。可動部２６は、支持部１５に対して変位する。支持部１５が容器２に取り付けられた状態で可動部２６が支持部１５に対して変位することにより、断熱容器１の他の一部が開閉される。即ち、可動部２６は、支持部１５が容器２に取り付けられると開口７の他の一部を塞ぐ位置に配置できる。容器２に入れられた物品６を取り出す時は、可動部２６が開口７を塞ぐ位置から変位される。図１０に示す例では、開口７の残りの半分の面積に相当する部分が可動部２６によって開閉される。
【００５１】
可動部２６は、例えば軸２７を介して支持部１５に設けられる。軸２７は、可動部２６の移動を案内する手段の一例である。図１０に示す例では、支持部１５が容器２に取り付けられると、可動部２６は、軸２７を中心に回転する。可動部２６は、真空断熱材を備えても良い。
【００５２】
図１０に示す例でも、蓋４の一部を開口７を塞ぐ位置に配置した状態で開口７の上方の一部を開放することができる。このため、図１から図７に示す例と同様の効果が期待できる。
【００５３】
実施の形態２．
図１１は、この発明の実施の形態２における断熱容器１の例を示す斜視図である。断熱容器１は、容器２、蓋２８、冷却装置２９、断熱体３０及び収納棚５（図１１では図示せず）を備える。本実施の形態における容器２は、実施の形態１で開示した容器２と同様である。本実施の形態における収納棚５は、実施の形態１で開示した収納棚５と同様である。
【００５４】
蓋２８は、容器２に設けられる。蓋２８は、容器２に対して変位する。蓋２８は、容器２に形成された開口７を塞ぐ位置に配置可能である。蓋２８を容器２に対して変位させることにより、断熱容器１の上を開閉することができる。図１１に示す例では、蓋２８は、中空の直方体形状である。蓋２８に、冷却装置２９及び断熱体３０を出し入れするための開口２８ａが形成される。蓋２８を容器２に固定するため、留め具１４と同様の留め具を蓋２８に設けても良い。かかる場合、容器２に受け具８と同様の受け具が設けられる。
【００５５】
図１２は、蓋２８の例を示す斜視図である。図１２は、蓋２８が容器２に対してスライドする例を示す。かかる場合、例えば、容器２の上面にレール３１（図１２では図示せず）が設けられる。蓋２８は、レール３１を介して容器２に設けられる。蓋２８は、開口７を形成する容器２の縁に沿って移動する。
【００５６】
図１３は、蓋２８の他の例を示す斜視図である。図１３は、蓋２８が軸３２を介して容器２に設けられる例を示す。図１３に示す例では、蓋２８は軸３２を中心に回転する。
【００５７】
冷却装置２９は、蓋２８に着脱可能である。図１４は、冷却装置２９が蓋２８に取り付けられた時の断熱容器１の断面を示す図である。冷却装置２９は開口２８ａから蓋２８に挿入され、蓋２８に取り付けられる。蓋２８は、例えばケース３３及び伝熱板３４を備える。蓋２８及び冷却装置２９の説明では、図１４に示す向きを基準に上下を特定する。図１４に示す向きは、容器２に上向きの開口７が形成されている場合に冷却装置２９が蓋２８に取り付けられる向きである。
【００５８】
ケース３３は中空であり、上述したように側方を向く開口２８ａが形成される。また、ケース３３に下向きの開口が形成される。伝熱板３４は、ケース３３に形成された下向きの開口を塞ぐようにケース３３に設けられる。このため、ケース３３は、伝熱板３４の周囲を囲むように配置される。ケース３３の熱伝導率は、伝熱板３４の熱伝導率より低い。開口７が塞がれるように蓋２８が配置されると、開口７を形成する容器２の縁にケース３３が上方から対向する。図１４に示す例では、ケース３３が特許請求の範囲に記載された断熱部に対応し、伝熱板３４が伝熱部に対応する。
【００５９】
冷却装置２９は、容器２の内部を冷却する機能を有する。冷却装置２９の構成は、実施の形態１で開示した蓋３の構成と同様である。冷却装置２９は、例えばケース３５、伝熱板３６、冷却器３７、放熱器３８及びファン３９を備える。
【００６０】
ケース３５は中空であり、下方に開口する。伝熱板３６は、ケース３５に形成された上記開口を塞ぐようにケース３５に設けられる。伝熱板３６の熱伝導率は、ケース３５の熱伝導率より高い。伝熱板３６は、例えば金属製の板である。
【００６１】
冷却器３７は、容器２の内部を冷却するための装置である。例えば、冷却器３７はペルチェ素子を含む。冷却器３７は、例えば伝熱板３６の上面に設けられる。図１４に示す例では、蓋２８の伝熱板３４に伝熱板３６の下面が対向する。冷却装置２９は、伝熱板３４を介して容器２の内部を冷却する。即ち、伝熱板３４に対向する伝熱板３６の下面が冷却装置２９の冷却面である。また、冷却器３７の上面は放熱面である。放熱器３８は、冷却器３７の放熱面に設けられる。
【００６２】
ファン３９は、ケース３５の内部に設けられる。ケース３５の上面に複数の通気孔３５ａが形成される。また、ケース３３の上面に複数の通気孔３３ａが形成される。ファン３９が駆動すると、放熱器３８に風が当たる。また、ファン３９が駆動すると、通気孔３３ａ及び通気孔３５ａからケース３５の内部に空気が取り込まれる。ケース３５の内部の空気は通気孔３３ａ及び通気孔３５ａから排出される。これにより、放熱器３８及び冷却器３７が冷却される。
【００６３】
断熱体３０は、蓋２８に着脱可能である。断熱体３０は、冷却装置２９より軽い。また、冷却器３７によって容器２の内部を冷却することができなければ、冷却装置２９を蓋２８に取り付けるより断熱体３０を蓋２８に取り付ける方が容器２の内部の温度を長く一定に保つことができる。図１５は、断熱体３０が蓋２８に取り付けられた時の断熱容器１の断面を示す図である。断熱体３０は、真空断熱材４０を備えても良い。
【００６４】
本実施の形態に示す例であれば、容器２の内部を密閉したまま冷却装置２９及び断熱体３０の交換を行うことができる。例えば、ワクチン製剤を含む物品６をワクチンの接種会場に運ぶ際に、拠点において冷却装置２９が蓋２８から外され、断熱体３０が蓋２８に取り付けられる。冷却装置２９から断熱体３０に交換する際に、物品６が外気に触れない。また、外気が容器２の内部に取り込まれることがない。このため、保管している物品６の温度変化を抑制できる。
【００６５】
実施の形態３．
図１６は、この発明の実施の形態３における断熱容器１の例を示す斜視図である。断熱容器１は、例えば外容器４１、内容器４２、取付装置４３、冷却装置２９及び断熱体３０を備える。本実施の形態における冷却装置２９は、実施の形態２で開示した冷却装置２９と同様である。本実施の形態における断熱体３０は、実施の形態２で開示した断熱体３０と同様である。
【００６６】
外容器４１は箱状である。外容器４１に開口４４が形成される。図１６は、外容器４１の外形が直方体形状である例を示す。外容器４１の外形は図１６に示す例に限定されない。外容器４１は、真空断熱材を備えても良い。
【００６７】
内容器４２は箱状である。内容器４２に、物品６が入れられる。内容器４２は、物品６が入れられた状態で開口４４から外容器４１に収納可能である。内容器４２は、引き出しのように操作される。内容器４２が外容器４１に収納されると、開口４４が内容器４２によって塞がれる。内容器４２は、真空断熱材を備えても良い。
【００６８】
取付装置４３は、外容器４１に設けられる。図１６は、取付装置４３が外容器４１に一体的に形成された例を示す。図１６に示す例では、取付装置４３が外容器４１の上に配置される。取付装置４３は、外容器４１に固定されている点で実施の形態２で開示した蓋２８と相違するが、その構成自体は蓋２８の構成と同様である。例えば、取付装置４３に、冷却装置２９及び断熱体３０を出し入れするための開口４３ａが形成される。取付装置４３は、例えばケース４５及び伝熱板４６を備える。ケース４５はケース３３と同様である。伝熱板４６は伝熱板３４と同様である。
【００６９】
冷却装置２９は、取付装置４３に着脱可能である。冷却装置２９は開口４３ａから取付装置４３に挿入され、取付装置４３に取り付けられる。冷却装置２９は、取付装置４３に取り付けられると、伝熱板４６を介して内容器４２の内部を冷却する。
【００７０】
断熱体３０は、取付装置４３に着脱可能である。断熱体３０は開口４３ａから取付装置４３に挿入され、取付装置４３に取り付けられる。冷却器３７によって内容器４２の内部を冷却することができなければ、冷却装置２９を取付装置４３に取り付けるより断熱体３０を取付装置４３に取り付ける方が内容器４２の内部の温度を長く一定に保つことができる。
【００７１】
図１６に示す例であれば、内容器４２の内部を密閉したまま冷却装置２９及び断熱体３０の交換を行うことができる。例えば、ワクチン製剤を含む物品６をワクチンの接種会場に運ぶ際に、拠点において冷却装置２９が取付装置４３から外され、断熱体３０が取付装置４３に取り付けられる。冷却装置２９から断熱体３０に交換する際に、物品６が外気に触れない。また、外気が内容器４２の内部に取り込まれることがない。このため、保管している物品６の温度変化を抑制できる。
【００７２】
図１７は、この発明の実施の形態３における断熱容器１の他の例を示す斜視図である。図１７に示す例は、複数の内容器を備える点で図１６に示す例と相違する。断熱容器１は、例えば外容器４１、内容器４２、内容器４７、内容器４８、取付装置４３、冷却装置２９及び断熱体３０を備える。
【００７３】
図１７に示す例では、外容器４１に、内容器の数に合わせて開口４４ａ、開口４４ｂ及び開口４４ｃが形成される。内容器４２は、物品６が入れられた状態で開口４４ａから外容器４１に収納可能である。内容器４２が外容器４１に収納されると、開口４４ａが内容器４２によって塞がれる。同様に、内容器４７は、物品６が入れられた状態で開口４４ｂから外容器４１に収納可能である。内容器４７が外容器４１に収納されると、開口４４ｂが内容器４７によって塞がれる。内容器４８は、物品６が入れられた状態で開口４４ｃから外容器４１に収納可能である。内容器４８が外容器４１に収納されると、開口４４ｃが内容器４８によって塞がれる。
【００７４】
図１７に示す例であっても、図１６に示す例と同様の効果が期待できる。また、図１７のように内容器を複数備える場合、一つの内容器に収納する物品６の量を減らすことができる。即ち、一つの内容器を開いて物品６を取り出す際に、外気に触れる物品６の量を減らすことができる。このため、外容器の内部の温度をより長く一定に保つことができる。
【００７５】
なお、取付装置４３を複数個設け、これを各内容器に設けても良い（図示せず）。例えば、取付装置を３つ備え、内容器４２の上部、内容器４７の上部及び内容器４８の上部にそれぞれ取付装置を設ける。このような例であっても、図１６及び図１７に示す例と同様の効果が期待できる。また、より急速且つ均一に内容器に収容された物品６を冷やすことができる。
【産業上の利用可能性】
【００７６】
この発明に係る断熱容器は、物品を保管する容器に適用できる。
【符号の説明】
【００７７】
１  断熱容器、  ２  容器、  ３  蓋（第１蓋）、  ４  蓋（第２蓋）、  ５  収納棚、  ６  物品、  ７  開口、  ８  受け具、  ９  ケース、  ９ａ  通気孔、  １０  伝熱板、  １１  冷却器、  １２  放熱器、  １３  ファン、  １４  留め具、  １５  支持部、  １６  可動部、  １７  レール、  １８  留め具、  １９  真空断熱材、  ２０  枠、  ２１  仕切り、  ２２  可動部（第１可動部）、  ２３  可動部（第２可動部）、  ２４  可動部、  ２５  可動部（第１可動部）、  ２６  可動部（第２可動部）、  ２７  軸、  ２８  蓋、  ２８ａ  開口、  ２９  冷却装置、  ３０  断熱体、  ３１  レール、  ３２  軸、  ３３  ケース（断熱部）、  ３３ａ  通気孔、  ３４  伝熱板（伝熱部）、  ３５  ケース、  ３５ａ  通気孔、  ３６  伝熱板、  ３７  冷却器、  ３８  放熱器、  ３９  ファン、  ４０  真空断熱材、  ４１  外容器、  ４２  内容器、  ４３  取付装置、  ４３ａ  開口、  ４４  開口、  ４４ａ  開口、  ４４ｂ  開口、  ４４ｃ  開口、  ４５  ケース、  ４６  伝熱板、  ４７  内容器、  ４８  内容器
【図１】
2017208337.tif 000003
【図２】
2017208337.tif 000004
【図３】
2017208337.tif 000005
【図４】
2017208337.tif 000006
【図５】
2017208337.tif 000007
【図６】
2017208337.tif 000008
【図７】
2017208337.tif 000009
【図８】
2017208337.tif 000010
【図９】
2017208337.tif 000011
【図１０】
2017208337.tif 000012
【図１１】
2017208337.tif 000013
【図１２】
2017208337.tif 000014
【図１３】
2017208337.tif 000015
【図１４】
2017208337.tif 000016
【図１５】
2017208337.tif 000017
【図１６】
2017208337.tif 000018
【図１７】
2017208337.tif 000019
【国際調査報告】
2017208337.tif 000020
2017208337.tif 000021
2017208337.tif 000022
2017208337.tif 000023